(57)【要約】【課題】ボーリング工事において発生する逸泥を阻止する。【解決手段】ボーリング工事において、ベースとなるベントナイト、カルボキシメトロセルロースおよび分散剤の混合物より成る泥水３を掘削孔５内に噴射して充満させて掘削している時に、礫層１５により逸泥の発生を検知すると、前記泥水３の圧送を停止し、前記泥水３上にポリエチレングリコール溶液を圧送してポリエチレングリコール溶液層２０を形成し、然る後、ベントナイトパウダーとポリエチレングリコール溶液、および水分との接触を遅らせるコーティングを施したベントナイトペレットを混合した混合液を膨潤抑制剤２３として、前記ポリエチレングリコール溶液層２０上に圧送して、ドリル先端から前記膨潤抑制剤２３を前記礫層１５へ噴射する。【選択図】図２
2007231533.tif 000002
【特許請求の範囲】
【請求項１】
ボーリング工事において、ベースとなるベントナイト、カルボキシメトロセルロースおよび分散剤の混合物より成る泥水を、先端にドリルを備えた送液管に圧送して、前記泥水を送液管の先端から掘削孔内に噴射して充満させて掘削している時に、礫層による逸泥の発生を検知すると、前記泥水の圧送を停止し、前記送液管内の泥水上にポリエチレングリコール溶液を圧送してポリエチレングリコール溶液層を形成し、然る後、ベントナイトパウダーと、ポリエチレングリコール溶液と、水分との接触を遅らせるコーティングを施したベントナイトペレットとを混合した混合液を膨潤抑制剤として、前記ポリエチレングリコール溶液層上に圧送して、前記ドリル先端から前記膨潤抑制剤を前記礫層へ噴射して、該礫層部分において、前記ベントナイトパウダーおよびベントナイトペレットが地下水と接触して膨潤し、前記礫層部分を閉塞することを特徴とするボーリング工事における逸泥阻止方法。
【請求項２】
ボーリング工事において、ベースとなるベントナイト、カルボキシメトロセルロースおよび分散剤の混合物より成る泥水を、先端にドリルを備えた送液管に圧送して、前記泥水を送液管の先端から掘削孔内に噴射して充満させて掘削している時に、礫層による逸泥の発生を検知すると、前記泥水の圧送を停止し、前記送液管内の泥水上にポリエチレングリコール溶液を圧送してポリエチレングリコール溶液層を形成し、然る後、ベントナイトパウダーと、ポリエチレングリコール溶液とを混合した混合液を膨潤抑制剤として、ポリエチレングリコール溶液層上に圧送して、前記ドリル先端から前記膨潤抑制剤を前記礫層へ噴射して、該礫層部分において、前記ベントナイトパウダーが地下水と接触して膨潤し、前記礫層部分を閉塞することを特徴とするボーリング工事における逸泥阻止方法。
【発明の詳細な説明】
【技術分野】
【０００１】
本発明は、例えば坑井掘削等、ボーリング工事において発生する逸泥を阻止するボーリング工事における逸泥阻止方法に関するものである。
【背景技術】
【０００２】
一般的に逸泥とは、泥水全体が地層中に失われる現象であって、ボーリング工事にはつきもので、どこでも見られる現象である。そして、例えば坑井掘削等、ボーリング工事においては、地盤をドリルで掘削しながら、泥水を掘削孔内に流入させて掘削して行くが、礫層で透水性が大なる地盤層に前記ドリルが達すると、泥水が該地盤層から逸泥してしまい、その結果、掘削孔内の泥水の水位が下がり、掘削孔が崩落してしまうという事態が生じていた。前記逸泥を阻止するため、後述する非特許文献１に記載されているような種々の逸泥対策が採られている。
【０００３】
【非特許文献１】１９８１年５月２５日  技報堂出版株式会社発行沖野文吉著  「ボーリング用泥水」第１５８頁乃至第１８１頁の「第９章  逸泥および逸泥対策」の記事
【発明の開示】
【発明が解決しようとする課題】
【０００４】
逸泥防止対策として、前記非特許文献１には、「油−ベントナイト混合液をスキーズする」という記載がある。この方法は、ベントナイトは油の中では水和しないため、多量のベントナイトを加えることができる。しかし、油−ベントナイト混合液が、清水または泥水と接触すると、ベントナイトが水分を吸収して直ちに膨潤して、急激にゲル化する特性を利用して、逸泥層を閉塞しようとする方法で、ガンクスキーズ(ｇｕｎｋ  ｓｑｕｅｅｚｅ)とも呼ばれ、古くから知られている手軽にできる方法である。
【０００５】
しかしながら、前記油−ベントナイト混合液を使用すると、例えば温泉井戸を掘削する場合、温泉水が油で汚染され、油の臭気が抜けないため、作業完了後に油性部分を回収する必要があり、そのため非常に手間と労力がかかり、従ってコスト高になるという課題があった。また、環境を汚染するという課題があった。
【０００６】
本発明は前記課題を解決すべくなされたもので、ボーリング工事において、ベースとなるベントナイト、カルボキシメトロセルロース（以下、「ＣＭＣ」と略称する）および分散剤の混合物より成る泥水を、掘削孔内に噴射して充満させて掘削している時に、逸泥の発生を検知すると、前記泥水の圧送を停止し、前記泥水上にポリエチレングリコール(以下、「ＰＥＧ」と略称する) 溶液を圧送して、ＰＥＧ溶液層を形成し、然る後、ベントナイトパウダーとＰＥＧ溶液、および水分との接触を遅らせるコーティングを施したベントナイトペレットとを混合した混合液を膨潤抑制剤として圧送するか、または必要に応じて前記ベントナイトペレットを混入せず、ベントナイトパウダーとＰＥＧ溶液とを混合した混合液を膨潤抑制剤として圧送して、ベントナイトが膨潤するのを抑制(遅延)させて、逸泥個所が地下３００ｍ以上の大深度であったとしても、逸泥層に対して充分に逸泥対策を採ることができると共に、油成分を膨潤抑制剤として使用していないので、作業完了後の回収作業をする必要が全くなく、コストを低く抑えることができ、更に、環境を汚染する虞れもないボーリング工事における逸泥阻止方法を提供しようとするものである。
【課題を解決するための手段】
【０００７】
本発明は、ボーリング工事において、ベースとなるベントナイト、カルボキシメトロセルロースおよび分散剤の混合物より成る泥水を、先端にドリルを備えた送液管に圧送して、前記泥水を送液管の先端から掘削孔内に噴射して充満させて掘削している時に、礫層による逸泥の発生を検知すると、前記泥水の圧送を停止し、前記送液管内の泥水上にポリエチレングリコール溶液を圧送してポリエチレングリコール溶液層を形成し、然る後、ベントナイトパウダーと、ポリエチレングリコール溶液と、水分との接触を遅らせるコーティングを施したベントナイトペレットとを混合した混合液を膨潤抑制剤として、前記ポリエチレングリコール溶液層上に圧送して、前記ドリル先端から前記膨潤抑制剤を前記礫層へ噴射して、該礫層部分において、前記ベントナイトパウダーおよびベントナイトペレットが地下水と接触して膨潤し、前記礫層部分を閉塞することを特徴とするボーリング工事における逸泥阻止方法、または、
ボーリング工事において、ベースとなるベントナイト、カルボキシメトロセルロースおよび分散剤の混合物より成る泥水を、先端にドリルを備えた送液管に圧送して、前記泥水を送液管の先端から掘削孔内に噴射して充満させて掘削している時に、礫層による逸泥の発生を検知すると、前記泥水の圧送を停止し、前記送液管内の泥水上にポリエチレングリコール溶液を圧送してポリエチレングリコール溶液層を形成し、然る後、ベントナイトパウダーと、ポリエチレングリコール溶液とを混合した混合液を膨潤抑制剤として、ポリエチレングリコール溶液層上に圧送して、前記ドリル先端から前記膨潤抑制剤を前記礫層へ噴射して、該礫層部分において、前記ベントナイトパウダーが地下水と接触して膨潤し、前記礫層部分を閉塞する工事における逸泥阻止方法、
を実現することにより、上記課題を解決した。
【発明の効果】
【０００８】
本発明方法によれば、逸泥個所の大きさ、あるいは深度が深いときは、ベントナイトパウダー、ベントナイトペレットおよびＰＥＧ溶液を混合した膨潤抑制剤を使用し、また逸泥個所が小さく、あるいは深度が浅いときは、ベントナイトパウダーとＰＥＧ溶液とを混合した膨潤抑制剤のいずれかを適宜選択して使用することができる。更に、本発明方法に使用する膨潤抑制剤には、油成分を全く含んでいないので、作業完了後の回収する必要がないため、従来に比して工期が短縮され、コストを低く抑えることができ、更に、環境を破壊することもない。
【実施例】
【０００９】
本発明の実施例を図面に基づいて詳細に説明する。従来ボーリング工事においては、図１に示すように、ドリル１で地盤２を掘削しながら、地盤面上で調整された泥水３を、送液管４を介して前記ドリル１先端から掘削孔５内に噴射して、該掘削孔５内に泥水３を充満させて掘削して行く。
【００１０】
前記従来ボーリング工事において使用される泥水３は、ベースとなるベントナイト５〜８重量％にＣＭＣおよび分散剤を混合攪拌して液状物としたものであって、ベントナイトの添加量を施工現場の状況に合せて適宜調整して製造する。そして、前記製造された泥水３は、泥水タンク６から送液パイプ７を介して、圧送ポンプ８で送液管４に圧送されて、ドリル１先端部へ送られ、回転しているドリル１先端から掘削孔５内に噴射される。前記掘削孔５内に噴射されて充満した泥水３は、掘削された土砂と共に、該掘削孔５の上部から回収パイプ９を介して吸引ポンプ１０により回収され、濾過槽１１で泥水３以外の土砂等の固形物をセパレーター１２で除去して、回収された泥水３のみを再び前記泥水タンク６へ転送パイプ１３を介して転送ポンプ１４により転送して再生使用するようにしている。
【００１１】
前記ドリル１の先端から掘削孔５へ前記泥水３を噴射して、常に掘削孔５内に泥水３を充満させるが、前記掘削中に透水性の礫層１５の部分に遭遇すると、直ちに該礫層１５部分から掘削孔５内の泥水３が、図中矢印で示すように逸泥する。この逸泥が発生したことは、掘削孔５内の泥水３の水位が下がるために検知することができる。
【００１２】
本発明ボーリング工事における逸泥阻止方法は、図２に示すように、前記逸泥の発生時に、前記泥水タンク６に設置されたバルブ１６を閉止して泥水３の圧送を停止すると共に、吸引ポンプ１０を停止し、然る後ＰＥＧ溶液タンク１７に設置されたバルブ１８を開放して、送液管４に残留した泥水３上に、該泥水３より比重の軽いＰＥＧ溶液１９を適量圧送して、特に限定する必要はないが、好ましくは、層の深さが４〜５ｍ程度のＰＥＧ溶液層２０を形成し、然る後、前記ＰＥＧ溶液タンク１７に設置されたバルブ１８を閉止する一方、膨潤抑制剤タンク２１に設置されたバルブ２２を開放して、特に限定する必要はないが、好ましくは、ＰＥＧ溶液１００重量％に対して、ベントナイトパウダー５５〜８５重量％と、水分との接触を遅らせるコーティング剤を塗布したベントナイトペレット１０〜３０重量％とをそれぞれ混合した混合液より成る膨潤抑制剤２３、または、ＰＥＧ溶液１００重量％に対して、ベントナイトパウダー５５〜８５重量％を混合した混合液より成る膨潤抑制剤２３を、前記ＰＥＧ溶液層２０上に圧送する。
【００１３】
そして、図３に示すように、前記膨潤抑制剤２３を送液管４に圧送し続けて、該膨潤抑制剤２３を前記ドリル１先端から前記礫層１５へ噴射することにより、該礫層１５部分において膨潤抑制剤２３中のベントナイトパウダーおよびベントナイトペット、またはベントナイトパウダーが地下水と接触して膨潤し、礫層１５部分を閉塞して逸泥を阻止するものである。
【００１４】
前記礫層１５への逸泥が阻止されたことが検知されると（膨潤抑制剤２３の水位が下がらなくなったとき）、バルブ２２を開放して、膨潤抑制剤２３の圧送を中止した後、バルブ１８を閉鎖して、送液管４中の膨潤抑制剤２３上に、再度ＰＥＧ溶液を圧送して、図示していない４〜５ｍのＰＥＧ溶液層を形成する。そして、その後、前記バルブ１８を閉止してＰＥＧ溶液の圧送を中止し、バルブ１６を開放し、泥水３を前記送液管４の前記ＰＥＧ溶液層上に圧送してボーリング工事を再開する。
【００１５】
本発明ボーリング工事における逸泥阻止方法に使用する膨潤抑制剤２３は、ベントナイトパウダーとＰＥＧ溶液、および地下水との接触時間を更に遅らせて膨潤を抑制する(遅効性)ため、例えば、アミノ酸の一種であるアルギン酸等のアミノ酸系のコーティング剤でコーティングした粒径７〜８ｍｍ程度のベントナイトペレットを混合した混合液である。その混合比率は、施工現場における状況によって適宜設定する。なお、前記コーティング剤をコーティングしたベントナイトペレットは、特に限定する必要はないが、本特許出願人が、商標「ＴＲ−６０ｓペルプラグ」を付して販売しているものを使用することが好ましい。
【００１６】
本発明膨潤抑制剤２３の材料として使用するＰＥＧ溶液は、エチレングリコールや水にエチレンオキシドを付加して得られる親水性の液状物である。そして、ＰＥＧ溶液にベントナイトパウダーを添加混入して攪拌すると、該ベントナイトパウダーはＰＥＧ溶液中において沈殿することなく、分散浮遊して混合される。
【００１７】
本発明者は、ＰＥＧ溶液中では、ベントナイトペレットが膨潤しないことを確認するために、先ず砂中にベントナイトペレットと水道水を混入したものと、砂中にベントナイトペレットとＰＥＧ溶液を入れたものとの膨潤状況を経時的に比較してテストした。その結果を表１に示す。
【００１８】
テスト条件
２０００ｍｌメスシリンダー (表１においては、「水道水シリンダー」と表示されている)
内に、下部底に１〜２ｍｍサイズの砂６００ｇｒ／５００ｍｌ目盛りを投入し、砂の上に水道水とベントナイトペレットを６００ｇｒ／５００ｍｌ投入した。スタート時の高さは１０．０ｃｍ(表１においては、「スタート時ＴＲ６０ｓ」と表示されている)であった。そして、１０００ｍｌ目盛りを確認した。更に、比較のため、同一条件の２０００ｍｌメスシリンダー(表１においては、「ペグ溶液シリンダー」と表示されている)内に、下部底に１〜２ｍｍサイズの砂６００ｇｒ／５００ｍｌ目盛りを投入し、砂の上にベントナイトペレットとＰＥＧ溶液を６００ｇｒ／５００ｍｌ注入し、膨潤の有無を確認した。スタート時の高さは前記同様１０．０ｃｍであった。
【００１９】
【表１】
2007231533.tif 000003
【００２０】
表１の測定結果から、ベントナイトペレットと水道水を注入したメスシリンダー内においては、３０分経過でベントナイトペレットがある程度膨潤して、高さ１０．８ｃｍ、容量５４０ｍｌ、ボリューム増分４０ｍｌとなり、６０分間経過で高さ１２．０ｃｍ、容量６００ｍｌ、ボリューム増分１００ｍｌとなって、徐々に増加して行き、２時間経過で最高に膨潤し、高さ１４．５ｃｍ、容量７２５ｍｌ、ボリューム増分２２５ｍｌとなった。そして、その後３時間経過で膨潤の増加量が徐々に減少し、高さ１５．５ｃｍ、容量７７５ｍｌ、ボリューム増分２７５ｍｌとなり、４時間経過で膨潤の増加量が更に減少して行き、高さ１５．８ｃｍ、容量７９０ｍｌ、ボリューム増分２４０ｍｌとなった。そして更に、２０時間経過後は、前記４時間経過後と同じで変化がなく、全く膨潤していないことが確認された。４時間経過後においては、膨潤量はスタート時から比較して１．５８倍であった。
【００２１】
一方、ＰＥＧ溶液中にベントナイトペレットを入れたメスシリンダー内においては、スタートから４時間経過までの高さ、容量およびボリューム増分は０で全く変化がなく、２０時間経過後においては、高さ１１．５ｃｍ、容量５７５ｍｌ、ボリューム増分７５ｍｌとなり、わずかに膨潤した。しかしながら、この測定結果から、ＰＥＧ溶液中においては、ベントナイトペレットはほとんど膨潤しないことが確認できた。
【００２２】
そして、更に表１において、前記ほとんど膨潤していないメスシリンダーから、ＰＥＧ溶液を抜き取り、水道水に入れ換えて膨潤チェックをした結果を表２に示す。
【００２３】
【表２】
2007231533.tif 000004
【００２４】
表２に示すように、スタート時の高さ（水道水投入直後の高さ）１１．５ｃｍ(表２においては、「水道水時プラグ高さ」と表示されている)、容量５７５ｍｌ、ボリューム増分７５ｍｌ(表１の２０時間後の数値と同じ数値)であったものが、３０分経過で高さ１２．５ｃｍ、容量６２５ｍｌ、ボリューム増分１２５ｍｌに増加し、６０分経過で高さ１３．８ｃｍ、容量６９０ｍｌ、ボリューム増分１９０ｍｌに増加し、更に２時間経過で、高さ１５．３ｃｍ、容量７６５ｍｌ、ボリューム増分２６５ｍｌとなって、かなり膨潤したことが確認できた。その後、３時間経過で、高さ１６．０ｃｍ、容量８００ｍｌ、ボリューム増分３００ｍｌと膨潤度がやや減少し、４時間経過で、高さ１６．５ｃｍ、容量８２５ｍｌ、ボリューム増分３２５ｍｌとなって更に膨潤度が減少した。そして更に、２０時間経過後は、前記４時間経過後と比較して全く変化なく、膨潤していないことが確認された。そして、スタート時から４時間経過までの膨潤量は、スタート時と比較して１．６５倍であった。更に、表２に示すテストによって得られた膨潤体は、表１の水道水とによって得られた膨潤よりも柔らかいことが確認できた。
【００２５】
前記表１、表２の測定結果から、ベントナイトペレットとＰＥＧ溶液から成る混合液は、目的対象深度まで膨潤しない状態で送致後、地下水に接触して、３時間後までに膨潤することが期待できる。すなわち、前記ベントナイトペレットとＰＥＧ溶液から成る混合液は、膨潤するのを３時間後まで抑制することができるということが確認できた。
【００２６】
そして、本発明者は、これら結果から、膨潤を遅らせる作用のあるベントナイトペレットとＰＥＧ溶液に加えて、更に水と接触すると直ちに膨潤を開始するベントナイトパウダーを添加して混合溶液とすることにより、本発明で採用できる膨潤抑制剤を作成した。そして、前記各素材の混合比率は、ＰＥＧ溶液１００重量％に対して、ベントナイトペレット１０〜３０重量％とすることが好ましく、特に２０％とすることが推奨され、更に、ベントナイトパウダー５５〜８５重量％とすることが好ましく、特に８０％とすることが推奨される。
【００２７】
更に、本発明者は、オイルマッドの発想から、ＰＥＧ溶液１００重量％に対してベントナイトパウダー８０重量％を添加混入して攪拌し、８０％濃度のＰＥＧマッドを作成した。そして、メスシリンダーの下部に１〜２ｍｍサイズの砂、５ｃｍ＋４〜５ｍｍサイズの礫砂により、５ｃｍの逸水層を作り、該逸水層上に前記８０％濃度ＰＥＧマッド約４００ｍｌをゆっくり充填して放置したところ、該８０％濃度ＰＥＧマッドの前記逸水層への侵入が少ないことが確認できた。すなわち、ベントナイトパウダーはＰＥＧ溶液中では、前記ベントナイトペレットと同様膨潤しないことが立証された。
【００２８】
次に、前記メスシリンダー中の８０％濃度のＰＥＧマッド上に水道水５００ｍｌを満たして、加圧圧入を実施した。加圧圧力０．５ｋｓｃ〜１ｋｓｃで礫部分に、前記８０％濃度のＰＥＧマッドが充填され、３ｋｓｃ〜５ｋｓｃで加圧を保持し、水道水約３００ｍｌを圧入すると、親水性のＰＥＧ溶液中に水道水が浸透して、圧入後２〜３分で前記８０％濃度のＰＥＧマッド中のベントナイトパウダーが、前記ＰＥＧ溶液中に浸透してきた水道水に接触して膨潤し、該膨潤したベントナイトパウダーが礫部分に詰まっている状態が目視できた。
【００２９】
更に、前記加圧状態を解放後、約２０時間経過で、前記ベントナイトパウダーが膨潤して詰まっている状態の礫部分に、３ｋｓｃ／２分の耐圧テストを実施したところ、礫部分の崩壊は認められず、更に５ｋｓｃ／５分の耐圧テストを実施しても、前記礫部分の崩壊は認められなかった。
【００３０】
前記テストの結果、８０％濃度のＰＥＧマッドに水を添加すると、親水性のＰＥＧマッド中に水が浸透し、該ＰＥＧマッド中に分散滞留しているベントナイトパウダーに水が接触して、該ベントナイトパウダーが膨潤することが立証できた。その他、６０％濃度のＰＥＧマッドをテストしても、前記８０％濃度のＰＥＧマッドとほぼ同様の結果が得られた。これらテストの結果から、ＰＥＧ溶液１００％濃度に対してベントナイトパウダー５５〜８５重量％を添加混入して攪拌し、５５〜８５％濃度のＰＥＧマッドとしても、本発明に採用できる。
【００３１】
而して、ボーリング中に逸泥が発生したことを検知した場合、直ちに泥水の圧送を中止すると共に、逸泥個所までの深度、逸泥個所の大きさ等を図示していない計測装置により計測する。
【００３２】
そして、先ず前記泥水３の圧送を中止した時点で、前記送液管４中に滞留した泥水３上にＰＥＧ溶液層２０を形成した後、前記計測値により逸泥個所に達するまで膨潤せず、且つ逸泥個所を遮蔽できるだけの膨潤抑制剤の量、種類および混合比率を予め計算した割合による膨潤抑制剤２３を、前記送液管４のＰＥＧ溶液層２０上に圧送する。
【００３３】
この場合、ＰＥＧ溶液層２０上に圧送する膨潤抑制剤２３は、ベントナイトペレットとベントナイトパウダーとＰＥＧ溶液との混合溶液とするか、またはベントナイトパウダーとＰＥＧ溶液との混合溶液とするかは施工現場の状況に応じて決定する。
【００３４】
すなわち、逸泥個所が大きい場合、または深度が深い場所にある場合は、膨潤までにかなりの時間を要し、目詰剤としての作用を有するベントナイトペレットを混合した前者を使用する。前記以外の場合は、ベントナイトペレットを混合していない後者を使用する。
【００３５】
ＰＥＧ溶液層２０上に前記膨潤抑制剤２３を送液管４に圧送すると、該送液管４内において、ＰＥＧ溶液層２０により礫層１５と膨潤抑制剤２３が分離されて、送液管４内の前記膨潤抑制剤２３中のベントナイトパウダーおよびベントナイトペレットと、泥水３とが接触しないので、該送液管４内においては、該ベントナイトパウダーおよびベントナイトペレットが泥水３に接触して膨潤することはない。
【００３６】
そして、礫層１５による逸泥個所に位置するドリル１先端から前記膨潤抑制剤２３を噴射すると、掘削孔５内の地下水に、該膨潤抑制剤２３中のベントナイトパウダーおよびベントナイトペレットが接触して膨潤を開始して、所定時間経過後、該礫層１５部分を閉塞して逸泥を阻止する。
【００３７】
なお、礫層１５が大きい場合、膨潤抑制剤２３として、ベントナイトペレットを使用すると、該ベントナイトペレットが目詰剤として作用し、且つ膨潤を遅らせるコーティング剤をコーティングしてあるため、目詰剤として役目を果たした後、膨潤を開始するので、充分な逸泥阻止効果が得られる。
【図面の簡単な説明】
【００３８】
【図１】本発明ボーリング工事における逸泥阻止方法に使用する装置であって、泥水のみを圧送している状態を示す概略縦断面図である。
【図２】本発明ボーリング工事における逸泥阻止方法に使用する装置であって、逸泥が検知された後、ＰＥＧ溶液および膨潤抑制剤を圧送している状態を示す概略縦断面図である。
【図３】本発明ボーリング工事における逸泥阻止方法に使用する装置であって、逸泥が検知された後、膨潤抑制剤を礫層へ噴射している状態を示す概略縦断面図である。
【符号の説明】
【００３９】
１    ドリル
２    地盤
３    泥水
４    送液管
５    掘削孔
１５  礫層
２０  ＰＥＧ溶液層
２３  膨潤抑制剤
【図１】
2007231533.tif 000005
【図２】
2007231533.tif 000006
【図３】
2007231533.tif 000007